(57)【要約】【課題】同軸コネクタを介して入力される信号を処理する回路基板および回路基板に設けられた信号端子から入力信号または出力信号に重畳されることのある不要輻射を低減可能な送受信装置を提供する。【解決手段】本発明の送受信装置は、回路基板２１をシールドするシールドケース３４と、このシールドケースに設けられ、回路基板の所定位置に設けられた同軸コネクタ５１またはその近傍がシールドケースと接することのないように形成された切り欠き部３４Ａを有する。この切り欠き部により、シールドケースに設けられ、回路基板に接続される端子３５およびコネクタに傷を生じたり、端子が変形することなく、回路基板をシールドケースでシールドできる。【選択図】    図３
2004363446.tif 000002
【特許請求の範囲】
【請求項１】
回路基板の面方向と直交する４面に沿って配列された枠体を含み、前記回路基板をシールドするシールドケースと、
前記回路基板の面方向に沿って同軸コネクタが固定された状態で前記回路基板の面方向と直交する方向から前記回路基板を収容可能に、前記シールドケースの所定の位置に設けられた切り欠き部と、
この切り欠き部により形成される開口部の一部をカバーする遮蔽部（突出部）と、
を備えることを特徴とする送受信装置。
【請求項２】
前記シールドケースの前記枠体は、６面体から一対の２面を取り外した４面体と、この４面体の一方の開口面に位置される第１のカバーと、前記４面体の残りの開口面に位置される第２のカバーと、を備えることを特徴とする請求項１記載の送受信装置。
【請求項３】
前記遮蔽部（突出部）は、前記第２のカバーの所定の位置が前記枠体に向けて折り曲げられた折り曲げ部を有することを特徴とする請求項２記載の送受信装置。
【請求項４】
前記第１のカバーと前記枠体とは、一体に形成されることを特徴とする請求項１または２記載の送受信装置。
【請求項５】
同軸コネクタが取り付けられた第１の回路基板をシールドする第１のシールドケースと、
この第１のシールドケースを保持する第２の回路基板を、前記第１のシールドとともにシールドする第２のシールドケースと、
この第２のシールドケースに設けられ、前記第１の回路基板の面方向に沿って同軸コネクタが固定された状態で前記第１の回路基板の面方向と直交する方向から前記回路基板および前記第１の回路基板を収容可能に、前記第２のシールドケースの所定の位置に設けられた切り欠き部と、
を備えることを特徴とする送受信装置。
【請求項６】
前記第２のシールドケースは、前記第２の回路基板の面方向と直交する方向の４面を覆う４面体と、この４面体の一方の開口面を覆う第１のカバーと、前記４面体の残りの開口面を覆う第２のカバーと、を備えることを特徴とする請求項５記載の送受信装置。
【請求項７】
前記切り欠き部は、前記４面体の少なくとも１面に設けられることを特徴とする請求項５記載の送受信装置。
【請求項８】
回路基板をシールドし、前記回路基板の面方向と直交する方向に沿って形成された４面を含む４面体と、この４面体の一方の開口面を覆う第１のカバーと、前記４面体の残りの開口面を覆う第２のカバーとを備えるシールドケースと、
前記シールドケースの所定位置に設けられ、前記４面体の少なくとも１面に設けられる切り欠き部とを備えることを特徴とする送受信装置。
【請求項９】
回路基板の面方向と直交する４面に沿って配列された枠体を含み、前記回路基板をシールドするシールドケースと、
前記回路基板の面方向に沿って同軸コネクタが固定された状態で前記回路基板の面方向と直交する方向から前記回路基板を収容可能に、前記シールドケースの所定の位置に設けられた切り欠き部と、
この切り欠き部により形成される開口部の一部をカバーする遮蔽部（突出部）と、
を備えることを特徴とするケーブルモデムモジュール装置。
【請求項１０】
回路基板をシールドし、前記回路基板の面方向と直交する方向に沿って形成された４面を含む４面体と、この４面体の一方の開口面を覆う第１のカバーと、前記４面体の残りの開口面を覆う第２のカバーとを備えるシールドケースと、
前記シールドケースの所定位置に設けられ、前記４面体の少なくとも１面に設けられる切り欠き部とを備えることを特徴とするケーブルモデムモジュール装置。
【発明の詳細な説明】
【０００１】
【発明の属する技術分野】
この発明は、同軸コネクタを介して入力される信号を処理する回路基板および回路基板に設けられた信号端子から入力信号または出力信号に重畳されることのある不要輻射を低減可能な送受信装置に関する。
【０００２】
【従来の技術】
ＲＦケーブル（同軸コネクタ）により外部から信号を受信し、または内部回路で処理された信号を外部へ送信する送受信装置においては、回路基板は、電磁波の不要輻射を遮蔽する効果のある金属等により形成されたシールドケースに収容されている。これにより、回路基板で処理される受信信号や、回路基板内で生成される信号に、不要輻射が重畳されることが抑止される。
【０００３】
しかしながら、送受信装置の小型化の要求に従って、回路基板をシールドするシールドケースと送受信装置の外装ケースとの間の余裕分が低減されていることから、例えば、シールドケースを送受信装置にセットしたのち、シールドケースの所定の位置にＲＦコネクタを取り付ける等の工程上の工夫が必要である。
【０００４】
なお、Ｆ型接栓（ＲＦコネクタ）が設けられた高周波回路基板の両面を第１，第２のシールド板で挟み込むとともに、その外側を、樹脂製のケース本体およびカバーにより雨水が入り込まないようにした電子機器用ケースが提案されている（例えば、特許文献１参照）。
【０００５】
また、アンテナ接続用コネクタが設けられた回路基板組立体の周囲を囲む金属がメッキされた樹脂製の固定枠と、固定枠および回路基板組立体を挟み込む金属ケースを有する薄型無線装置が提案されている（例えば、特許文献２参照）。
【０００６】
さらに、基板の周囲を、弾性を有する樹脂材でモールドした上下カバー（側面を含む）とフロントパネルとリヤパネルとにより覆ったモデム筐体の組立構造が提案されている（例えば、特許文献３参照）。
【０００７】
また、同軸ケーブル取り付け部が一体に設けられた基板の４面をシールド板で覆って通信品位を高めた送受信一体型高周波装置が提案されている（例えば、特許文献４参照）。
【０００８】
【特許文献１】
特開平８−３２２６７号公報（図１、図２、段落［００１１］、［００１３］、［００１４］）。
【０００９】
【特許文献２】
特開平１０−７５０８２号公報（図５〜図７、図１１、図１２、段落［００１４］〜［００１５］、［００２３］、［００２８］）。
【００１０】
【特許文献３】
特開平３−２２４２９５号公報（第１図、第３頁左下欄第１行ないし同欄第２０行、請求項１）。
【００１１】
【特許文献４】
特開２００２−１６５２４号公報（図１、図６、段落［００６１］〜［００６８］、請求項１１）。
【００１２】
【発明が解決しようとする課題】
ところで、特許文献１ないし４にいずれかまたは少なくとも２つもしくは３つあるいは全てを組み合わせて回路基板をシールドしたとしても、不要輻射を完全に抑止することは困難である。
【００１３】
また、上述の通り、送受信装置の小型化の要求に従って、回路基板をシールドするシールドケースと送受信装置の外装ケースとの間の余裕分が低減されていることに起因して、ＲＦコネクタを取り付ける工程に工夫が必要となり、あるいは作業性が低下する等により、組立効率が低下する問題がある。
【００１４】
なお、例えば回路基板からの端子群がＲＦコネクタと異なる方向に延出されている場合、ＲＦコネクタと回路基板とをシールドケースに収容した状態で、余裕分（隙間）の少ない外装ケース内に収納しようとすると、端子（群）が折れたり変形する問題がある。
【００１５】
この発明の目的は、作業ミスが生じにくく、高い組立作業性が得られ、しかも不要輻射を低減可能で、通信品位の高い信号の送受信が可能な送受信装置を提供することである。
【００１６】
【課題を解決するための手段】
この発明は、上述問題点に基づきなされたもので、回路基板の面方向と直交する４面に沿って配列された枠体を含み、前記回路基板をシールドするシールドケースと、前記回路基板の面方向に沿って同軸コネクタが固定された状態で前記回路基板の面方向と直交する方向から前記回路基板を収容可能に、前記シールドケースの所定の位置に設けられた切り欠き部と、この切り欠き部により形成される開口部の一部をカバーする遮蔽部（突出部）と、を備えることを特徴とする送受信装置、を提供するものである。
【００１７】
また、この発明は、同軸コネクタが取り付けられた第１の回路基板をシールドする第１のシールドケースと、この第１のシールドケースを保持する第２の回路基板を、前記第１のシールドとともにシールドする第２のシールドケースと、この第２のシールドケースに設けられ、前記第１の回路基板の面方向に沿って同軸コネクタが固定された状態で前記第１の回路基板の面方向と直交する方向から前記回路基板および前記第１の回路基板を収容可能に、前記第２のシールドケースの所定の位置に設けられた切り欠き部と、を備えることを特徴とする送受信装置、を提供するものである。
【００１８】
さらに、この発明は、回路基板をシールドし、前記回路基板の面方向と直交する方向に沿って形成された４面を含む４面体と、この４面体の一方の開口面を覆う第１のカバーと、前記４面体の残りの開口面を覆う第２のカバーとを備えるシールドケースと、前記シールドケースの所定位置に設けられ、前記４面体の少なくとも１面に設けられる切り欠き部とを備えることを特徴とする送受信装置、を提供するものである。
【００１９】
またさらに、この発明は、回路基板の面方向と直交する４面に沿って配列された枠体を含み、前記回路基板をシールドするシールドケースと、前記回路基板の面方向に沿って同軸コネクタが固定された状態で前記回路基板の面方向と直交する方向から前記回路基板を収容可能に、前記シールドケースの所定の位置に設けられた切り欠き部と、この切り欠き部により形成される開口部の一部をカバーする遮蔽部（突出部）と、を備えることを特徴とするケーブルモデムモジュール装置、を提供するものである。
【００２０】
さらにまた、この発明は、回路基板をシールドし、前記回路基板の面方向と直交する方向に沿って形成された４面を含む４面体と、この４面体の一方の開口面を覆う第１のカバーと、前記４面体の残りの開口面を覆う第２のカバーとを備えるシールドケースと、前記シールドケースの所定位置に設けられ、前記４面体の少なくとも１面に設けられる切り欠き部とを備えることを特徴とするケーブルモデムモジュール装置、を提供するものである。
【００２１】
【発明の実施の形態】
以下、図面を参照しながら本発明の実施の形態について説明する。
【００２２】
図１に示されるように、例えばＣＡＴＶ網に接続され、予め契約された加入者に映像プログラムや音楽プログラムまたは文字データを受信し、また加入者から入力される情報を送信元に伝送可能なデータ通信用の通信端末である送受信装置として、ケーブルモデム装置が知られている。なお、センター局から各端末（加入者）には、例えば９０〜８６０ＭＨｚ程度の高周波の受信信号（下り信号）で映像プログラムや文字データが配信される。また、各端末からセンター局には、例えば５〜６５ＭＨｚ程度の高周波の送信信号（上り信号）で情報が送信可能である。
【００２３】
ケーブルモデム装置またはケーブルモデムモジュールを実装したＣＡＴＶ端末装置１は、図１に一例を示すが、例えば外装ケース２、主回路基板３、電源回路基板４、ケーブルモデムユニット（ケーブルモデムモジュール）５、フロントパネル６およびリヤパネル７等からなる。なお、フロントパネル６には、詳述しないが、例えば受信チャンネルやセンター局からのメール等の着信の有無を表示する表示装置、電源スイッチ、音声出力用のフォノジャックあるいは遠隔操作用リモート端末（リモコン）からの制御信号を受信する受光部（窓）等が配置されている。また、リヤパネル７には、詳述しないが、例えばＣＲＴ（テレビモニタ）装置やディスプレイ装置に映像信号を出力する映像出力端子群、テレビモニタ装置や音声増幅装置（オーディオアンプ）等に音声信号を出力する音声端子群、電源回路基板４に商用電源を供給可能なＡＣライン、および以下に説明するが、ケーブルモデムユニット５の所定の位置に設けられているＲＦコネクタ等が配置されている。
【００２４】
ケーブルモデムユニットすなわちケーブルモデムモジュール５は、図２に概略ブロックを示すが、例えばセンター局（ケーブルテレビ（ＣＡＴＶ）配信局）との間の信号の送受信に利用されるＲＦ（同軸）ケーブルが接続されるＲＦコネクタ（同軸コネクタ）５１、以下に説明するさまざまな回路および機能ブロックが配置される回路基板２１、ＲＦコネクタ５１により入出力される高周波信号を処理するチューナ部２２、チューナ部２２を介して周波数変換された下り信号（アナログ信号）をデジタル信号に変換するＡ／Ｄコンバータ２３、Ａ／Ｄコンバータ２３を介してデジタル信号に変換された下り信号を復調してデータ化する復調部２４、上り信号（デジタル信号）を生成するＭＡＣ（Ｍｅｄｉａ  Ａｃｃｅｓｓ  Ｃｏｎｔｒｏｌ）部２５、ＭＡＣ部２５により生成された上り信号をアナログ信号に変換するＤ／Ａコンバータ２６、ＭＡＣ部２５に入力された下り信号を外部装置に出力するためのイーサネット規格等に準拠したインタフェース２７、個々の回路および機能ブロックの動作を制御する主制御回路（マイクロコンピュータ）２８およびメモリ２９等からなる。なお、ケーブルモデムユニット５は、主回路基板３の所定位置に、例えばリヤパネル７の所定位置からＲＦコネクタ５１を外部に向けて突出させた状態に配置されている。
【００２５】
ＲＦコネクタ５１は、回路基板２１の所定位置に、例えば半田により、あるいはカシメもしくは接触子の接触等により、固定されている。なお、ＲＦコネクタ５１は、図示しないが芯材（芯線）すなわち信号線が、例えば回路基板２１の面方向と平行な方向に向けた状態で回路基板２１に（或は，芯材先端を回路基板２１に垂直に曲げ，回路基板２１に挿入して）固定されている。また、ケーブルモデムユニット５を動作させるための電源は、主回路基板３に設けられた電源回路基板４から供給される。
【００２６】
図３は、図１に示したＣＡＴＶ端末装置の主回路基板に配置されるケーブルモデムユニットの機械的要素の特徴の一例を説明する概略図である。
【００２７】
図３に示されるように、ケーブルモデムユニット５は、図２を用いて説明した個々の回路および機能ブロックが設けられている回路基板２１の面方向と直交する周囲４面を覆うとともに外部からの電磁波をシールドする金属ケース３１、４面体の金属ケース（枠体）３１の一方の開口を覆う（すなわち開口に対して、例えば蓋状に位置される）とともに外部からの電磁波をシールドする第１の平面部（第１のカバー）３２および金属ケース３１の他の一方の開口を覆う（開口に対して、例えば蓋状に位置される）とともに外部からの電磁波をシールドする第２の平面部（第２のカバー）３３により形成された６面体もしくは類似した形状の筐体３４（と筐体３４内部に位置される回路基板２１）からなる。
【００２８】
回路基板２１の所定の位置には、図２を用いて説明した個々の回路およびブロックからの信号および個々の回路およびブロックへの信号の入出力に利用される端子３５が、所定の数だけ、配列されている。なお、個々の端子３５は、例えば貫通コンデンサ等を含み、外来ノイズあるいは不要な信号に対するフィルタ機能を有する。
【００２９】
それぞれの端子３５は、４面体の金属ケース３１の所定の面を介して筐体３４の外部（金属ケース３１の４面のうちの任意の一面）と接続可能に形成されている（実際の製造工程から見ると、予め筐体３４の所定位置に固定された端子３５が回路基板２１に設けられた詳述しない対応する孔に挿入され、例えば半田等により回路基板２１の所定のパターンと接続される）。すなわち、端子３５の金属ケース３１へ固定される側と反対側の端部（脚部）は、回路基板２１に予め設けられている貫通孔の軸線方向と同じ方向に向けられている。
【００３０】
筐体３４の所定の面すなわち４面体の金属ケース３１のうちの端子３５が固定される面とは異なる面には、回路基板２１に固定されているＲＦコネクタ５１を筐体３４の外部に露出可能とする切り欠き（切り欠き部）３４Ａが形成されている。
【００３１】
すなわち、４面体の金属ケース（枠体）３１の任意の一面に、ＲＦコネクタ５１に対応される切り欠き３４Ａを設けたことにより、回路基板２１の所定位置に予めＲＦコネクタ５１を固定した状態で、ＲＦコネクタ５１の軸方向と直交する方向で、かつ端子３５の回路基板２１の対応する孔に挿入される側の脚部が回路基板２１の貫通孔の軸線方向と平行となるように、金属ケース３１を回路基板２１に装着することが可能となる。
【００３２】
このように、回路基板２１の周囲を覆う４面体の金属ケース３１の任意の一面であって、回路基板２１に固定されているＲＦコネクタ５１を避ける形状の切り欠き３４Ａを設けることにより、同軸ケーブル用のコネクタ５１を持つ回路基板２１に端子３５を持つ金属ケース３１を装着する際に、回路基板２１を傾斜することなく、金属ケース３１の開口面（第１および第２のカバー３２，３３が装着される面）を水平に保ったまま、金属ケース３１を、その開口面に対して垂直に挿入することが可能となる。換言すると、シールドケース３４の４面体すなわち金属ケース３１の任意の１面に、ＲＦ（同軸）コネクタの軸線が延出される方向と直交する方向から回路基板２１に対して金属ケース３１を装着可能に切り欠き部（切り欠き）３４Ａを設けたことにより、シールドケース３４内に、回路基板２１の面方向に沿って同軸コネクタ５１が固定された状態で回路基板２１の面方向と直交する方向から回路基板２１を収容するために、シールドケース３４が装着可能である。
【００３３】
この構成により、回路基板２１の所定の位置に挿入される端子３５を基板２１の対応する貫通孔に確実に挿入可能で、しかも回路基板２１に端子３５の軸線の方向と異なる方向に軸線が向けられて固定されているＲＦコネクタ５１とケース３１とが不所望に接したり、端子３５の任意のまたは複数のもしくは全てが対応する貫通孔に挿入されずにその一部が折れ曲がることが抑止される。
【００３４】
従って、ＲＦコネクタ５１または端子３５のいずれかまたは両者に不所望な傷が生じたり端子３５が折れ曲がることが防止されるとともに、ＲＦコネクタ５１が固定されている回路基板２１に複数の端子３５が予め取り付けられている金属ケース３１を装着する工程の作業性が改善され、その工程に要求される作業時間が低減される。
【００３５】
このことは、ケーブルモデムユニット（ケーブルモデムモジュール）５およびケーブルモデムユニット５を含むＣＡＴＶ端末装置１の組立コストを低減可能で、最終製品のコストダウンにつながる。
【００３６】
なお、４面体の金属ケース３１の第２の開口面を覆う第２のカバー３３の所定の位置すなわち回路基板２１に固定されているＲＦコネクタ５１に第２のカバー３３が近接する部分を金属ケース３１の側に突出させて（あるいは折り曲げて）遮蔽部（突出部）３３Ａを設けてＲＦコネクタ５１の近傍に位置させることで、筐体３４に切り欠き３４Ａを設けることにより金属ケース３１に形成される開口面積（切り欠き３４Ａ）の大きさが削減される。また、切り欠き部３４Ａを覆う遮蔽部（突出部）３３Ａは、第２のカバー３３と一体である必要はなく、別ピースによることも可能である。
【００３７】
これにより、切り欠き３４Ａによる開口からの外来の不要輻射が入力され、あるいは内部回路からの不要輻射がケーブルモデムユニット５の外部へ出力されることが低減される。従って、高品位な信号の送受信が可能となる。
【００３８】
また、図３に示した筐体すなわちシールドケース３４では、４面体である金属ケース３１は、開口面が２面であるが、シールドケース３４と第１のカバー３２を一体として、開口面を１面とすることもできる。
【００３９】
図４は、図１ないし図３に示したケーブルモデムニットの変形例を示す概略図である。なお、図４においては、ケーブルモデムユニットの回路基板に組み付けられるチューナ部を、独立のシールドケース内に収容した例を示している。
【００４０】
詳細には、ケーブルモデムユニット１０５は、図２を用いて前に説明した個々の回路および機能ブロックが設けられている回路基板２１に組み付けられるチューナ部２２の少なくとも周囲４面を覆うとともに外部からの電磁波をシールドする金属ケース１５１および４面体の金属ケース１５１の一方の開口を覆うとともに外部からの電磁波をシールドするチューナ部カバー（チューナ部平面部）１５２からなる少なくとも５面の金属板からなる筐体すなわちチューナ部シールドケース１５４と、チューナ部シールドケース１５４の外側を覆うシールドケース３４からなる。なお、シールドケース３４は、図３を用いて前に説明したシールドケースと実質的に同様に構成される。
【００４１】
チューナ部シールドケース１５４の４面体の金属ケース１５１の任意の一面には、回路基板２１のチューナ部２２からの信号の出力およびチューナ部２２への信号の入力に利用される端子１５５が、所定の数だけ配列されている。なお、個々の端子１５５は、好ましくはシールドケース３４の端子３５が配列される面と反対の側に配列される。また、個々の端子１５５は、４面体の金属ケース１５１の所定の面に固定された状態で、回路基板２１の所定位置に形成されている詳述しない貫通孔に挿入され、例えば半田等により回路基板２１の所定のパターンと接続される。すなわち、チューナ部シールドケース１５４に固定されている端子１５５の金属ケース１５１へ固定される側と反対側の端部（脚部）は、回路基板２１に予め設けられている貫通孔の軸線方向と同じ方向に向けられている。
【００４２】
シールドケース３４の所定の面すなわち４面体の金属ケース３１のうちの端子３５が固定される面とは異なる面には、図３により前に説明したと同様に、回路基板２１に固定されているＲＦコネクタ５１をシールドケース３４の外部に露出可能とする切り欠き３４Ａが形成されている。
【００４３】
従って、図４に示す例では、回路基板２１の所定位置に配置されたチューナ部２２を覆うチューナ部シールドケース１５４の外側を、チューナ部シールドケース１５４の所定の位置から突出されたＲＦコネクタ５１がチューナ部２２に固定された状態で、ＲＦコネクタ５１の軸方向と直交する方向であって、チューナ部の端子１５５とシールドケース３４の外部との信号の入出力に利用される端子３５のそれぞれが回路基板２１の対応する孔に挿入される側の脚部が回路基板２１の貫通孔の軸線方向と平行となるように、シールドケース３４の金属ケース３１を回路基板２１に装着することができる。
【００４４】
換言すると、シールドケース（第２のシールドケース）３４の４面体すなわち金属ケース３１の任意の１面に、チューナ部シールドケース（第１のシールドケース）１５４の所定の位置にチューナ部２２（チューナ回路基板１５０）の面方向に軸線が沿うように固定されているＲＦ（同軸）コネクタ５１の軸線が延出される方向と直交する方向から、回路基板２１およびチューナ回路基板１５０に対して金属ケース３１を装着可能に切り欠き部（切り欠き）３４Ａを設けたことにより、シールドケース３４内に、回路基板２１の面方向に沿って同軸コネクタ５１が固定された状態で回路基板２１の面方向と直交する方向から回路基板２１を収容するために、シールドケース３４が装着可能である。
【００４５】
すなわち、回路基板２１の所定の位置に挿入される端子３５と端子１５５（チューナ部２２）を、回路基板２１の対応する貫通孔に確実に挿入可能で、しかも回路基板２１に端子３５および端子１５５の軸線の方向と異なる方向に軸線が向けられて固定されているＲＦコネクタ５１と金属ケース３１および金属ケース１５１とが不所望に接したり、端子３５および端子１５５の任意のまたは複数のもしくは全てが回路基板２１に予め設けられている対応する貫通孔に挿入されずにその一部が折れ曲がることが抑止される。
【００４６】
従って、ＲＦコネクタ５１または端子３５および端子１５５のいずれかまたはそれぞれに不所望な傷が生じたり、端子３５または端子１５５が折れ曲がることが防止されるとともに、ＲＦコネクタ５１が固定されている回路基板２１に複数の端子３５および端子１５５が予め取り付けられている金属ケース３１および金属ケース１５１を装着する工程の作業性が改善され、その工程に要求される作業時間が低減される。
【００４７】
このことは、ケーブルモデムユニット（ケーブルモデムモジュール）１０５およびケーブルモデムユニット１０５を含むＣＡＴＶ端末装置１の組立コストを低減可能で、最終製品のコストダウンにつながる。
【００４８】
また、４面体の金属ケース３１の第２の開口面を覆う第２のカバー３３の所定の位置すなわち回路基板２１に固定されているＲＦコネクタ５１に第２のカバー３３が近接する部分を金属ケース３１の側に突出させて（あるいは折り曲げて）遮蔽部（突出部）３３Ａを設けて、ＲＦコネクタ５１の近傍に位置させることで、筐体３４に切り欠き３４Ａを設けることにより金属ケース３１に形成される開口面積（切り欠き３４Ａ）の大きさが削減される。なお、切り欠き部３４Ａを覆う遮蔽部（突出部）３３Ａは、第２のカバー３３と一体である必要はなく、別ピースによることも可能である。
【００４９】
これにより、切り欠き３４Ａによる開口からの外来の不要輻射が入力され、あるいは内部回路からの不要輻射がケーブルモデムユニット１０５の外部へ出力されることが低減される。従って、高品位な信号の送受信が可能となる。
【００５０】
なお、図３および図４を用いて説明した実施の形態は、ＲＦコネクタに限らず、シールドケースの外側に突出する部品を持つ場合に関して有効である。
【００５１】
例えば、図５に示すように、回路基板２２１上の異なる辺の側にそれぞれ配置された部品２２３および２２４を持ち、それぞれがシールドケース２３４（第１のカバー２３１を含む）の外側に突出する場合に関してもシールドケース２３４に切り欠き部２３４Ａおよび２３４Ｂを設けることで、図３および図４に示した例と同様の効果が得られる。また、シールドケース２３４（４面体）の開口面に設けられる下カバー（第２のカバー）２３３に遮蔽部（突出部）２３３Ａおよび２３３Ｂを設けることで、上述したと同様に、シールドケース２３４に形成される開口面積（切り欠き２３４Ａおよび２３４Ｂ）の大きさが低減される。なお、切り欠き部を覆う遮蔽部（突出部）２３３Ａおよび２３３Ｂは、カバー２３３と一体である必要はなく、別ピースによることも可能である。
【００５２】
これにより、切り欠き２３４Ａおよび２３４Ｂによる開口からの外来の不要輻射が入力され、あるいは内部回路（回路基板２２１）からの不要輻射がケーブルモデムユニット２０５の外部へ出力されることが低減される。従って、高品位な信号の送受信が可能となる。
【００５３】
また、図１ないし図５においては、ＣＡＴＶ端末装置に組み込まれるケーブルモデムユニットのシールドケースを例に説明したが、例えば図６を用いて以下に説明するように、端末装置がゲーム機等であっても適用できる。
【００５４】
例えば図６に示すようなゲーム機５０１においては、外装ケース５０２、主回路基板５０３、電源回路基板５０４、ケーブルモデムユニット５０５、フロントパネル５０６およびリヤパネル５０７等からなる。なお、フロントパネル５０６には、詳述しないが、コントローラ（入力装置）５１１が接続可能である。
【００５５】
図６に示したゲーム機５０１はまた、例えばセンター局からダウンロード可能なゲームソフトやバージョンアップデータまたはハイスコアデータ等を記憶可能なハードディスクドライブ装置（ＨＤＤ）や、対戦型ゲームにおいてセンター局にエントリされている任意の対戦相手との通信を確保／切断可能な通信ユニット等が設けられている。なお、ゲームソフトの主要な部分が、例えばＤＶＤ規格のディスク媒体や特定の規格の記憶媒体（カートリッジあるいはカード）を介して供給される場合に備えて、ディスクドライブ装置やカード（カートリッジ）スロットが一体に組み込まれていてもよい。
【００５６】
なお、詳細な説明を省略するが、主回路基板５０３の所定の位置には、図３または図４を用いて前に説明したと同様に、例えばＲＦコネクタ５５１が回路基板５２１に取り付けられたケーブルモデム５０５が固定されている。
【００５７】
また、ケーブルモデム５０５は、シールドケース５３４および上カバー５３２および下カバー５３３により、シールドされているので、外来の不要輻射が回路基板５２１に入力され、または回路基板５２１からの不要輻射がケーブルモデムユニット５０５の外部へ出力されることが低減される。
【００５８】
従って、本発明の実施の形態であるケーブルモデムユニット（シールド機構）を用いることにより、高品位な信号の送受信が可能となる。
【００５９】
なお、この発明は、上記各実施の形態に限定されるものではなく、その実施の段階ではその要旨を逸脱しない範囲で種々な変形・変更が可能である。また、各実施の形態は、可能な限り適宜組み合わせて実施されてもよく、その場合、組み合わせによる効果が得られる。
【００６０】
【発明の効果】
以上説明したようにこの発明によれば、同軸ケーブルと接続が可能なコネクタが設けられた回路基板の周囲を６面体もしくは類似した形状のシールドケースによりシールドするに際し、回路基板からコネクタが突出している部分のシールドケースに切り欠きを設けたことで、回路基板をシールドケースで覆う際の作業性が改善される。これにより、コネクタあるいはシールドケースに固定されている端子のいずれかまたはそれぞれに不所望な傷が生じたり、端子が折れ曲がることが防止される。従って、ケーブルモデムユニットおよびケーブルモデムユニットを含む端末装置の組立コストが低減される。
【図面の簡単な説明】
【図１】この発明の実施の形態であるケーブルモデムユニットが組み込まれるＣＡＴＶ端末装置（通信端末）の一例を説明する概略図。
【図２】図１に示したＣＡＴＶ端末装置に組み込まれるケーブルモデムユニットの構成の一例を示す概略ブロック図。
【図３】図１に示したＣＡＴＶ端末装置の主回路基板に配置されるケーブルモデムユニットの機械的要素の特徴の一例を説明する概略図。
【図４】図１に示したＣＡＴＶ端末装置の主回路基板に配置されるケーブルモデムユニットの機械的要素の特徴の別の一例を説明する概略図。
【図５】図１に示したＣＡＴＶ端末装置の主回路基板に配置されるケーブルモデムユニットの機械的要素の特徴のさらに別の一例を説明する概略図。
【図６】図１に示したＣＡＴＶ端末装置とは異なる端末装置に組み込まれるケーブルモデムユニットの構成の一例を示す概略ブロック図。
【符号の説明】
１…ＣＡＴＶ端末装置、３…主回路基板（第２の回路基板）、４…電源回路基板、５，１０５，２０５，５０５…ケーブルモデムユニット、２１…回路基板（第１の回路基板）、２２…チューナ部、３１，１５１…金属ケース（４面体）、３２，２３１…第１のカバー、３３，２３３…第２のカバー、３３Ａ，２３３Ａ，２３３Ｂ…遮蔽部（突出部・第２のカバー）、３４，２３４…シールドケース（６面体の筐体）、３４Ａ，２３４Ａ，２３４Ｂ…切り欠き（シールドケース）、３５，１５５…端子、５１…ＲＦコネクタ、１５２…チューナ部カバー、１５４…チューナ部シールドケース。
【図１】
2004363446.tif 000003
【図２】
2004363446.tif 000004
【図３】
2004363446.tif 000005
【図４】
2004363446.tif 000006
【図５】
2004363446.tif 000007
【図６】
2004363446.tif 000008